(57)【要約】【課題】空気調和装置の樹脂部品における樹脂成形の作業効率の更なる向上を目的とする。【解決手段】吸込口１と吹出口２とを有する本体ケース３と、本体ケース３内に設けた空気調和手段と、吸込口１から吸い込まれた空気を、送風路１１により、空気調和手段を介して吹出口２から吹き出す送風手段５と、送風手段５を制御する制御部１９と、制御部１９と電気的に接続された電源コード２０と、電源コード２０から発生するノイズを抑制するノイズ抑制部品３５を着脱自在に装着するノイズ抑制装着部３６と、電源コード２０を固定する固定部２１とからなり、送風手段５は、スクロール形状の樹脂成型部品であるケーシング部１２と、モータ部１３と、羽根部１４とを有し、固定部２１は、ケーシング部１２と一体に樹脂成型され、太さの異なる２種類の電源コードを固定するので、１種類のケーシング部１２で、太さの異なる２種類の電源コード２０を固定できる。【選択図】図３
2016070508.tif 000002
【特許請求の範囲】
【請求項１】
吸込口と吹出口とを有する本体ケースと、前記本体ケース内に設けた空気調和手段と、前記吸込口から吸い込まれた空気を、送風路により、前記空気調和手段を介して前記吹出口から吹き出す送風手段と、前記送風手段を制御する制御部と、前記制御部と電気的に接続された電源コードと、前記電源コードから発生するノイズを抑制するノイズ抑制部品を着脱自在に装着するノイズ抑制装着部と、前記電源コードを固定する固定部とからなり、前記送風手段は、スクロール形状の樹脂成型部品であるケーシング部と、前記ケーシング部に固定されたモータ部と、前記モータ部によって回転する羽根部とを有し、前記固定部は、前記ケーシング部と一体に樹脂成型され、太さの異なる２種類の前記電源コードを固定することを特徴とする空気調和装置。
【請求項２】
前記電源コードが、複数の電源線からなり、これらの前記電源線は、電気が流れる導通部分と、前記導通部分を覆う第１の絶縁部分と、前記第１の絶縁部分を覆う第２の絶縁部分から形成している場合には、前記電源線は、前記固定部である前記ケーシング部の壁部分と、棒形状の第１の固定部分との間に挟まれて固定されることを特徴とする請求項１の記載の空気調和装置。
【請求項３】
前記ノイズ抑制装着部は、前記ケーシング部と一体に樹脂成型され、前記電源コードは、前記ケーシング部の前記壁部分と、前記ノイズ抑制装着部との間に挟まれて固定されることを特徴とする請求項２の記載の空気調和装置。
【請求項４】
前記電源コードが、複数の電源線からなり、これらの前記電源線は、電気が流れる導通部分と、前記導通部分を覆う第１の絶縁部分とから形成している場合には、前記電源線は、前記電源コードから発生するノイズを抑制するノイズ抑制部品に装着され、前記ノイズ抑制部品は、ノイズ抑制装着部に装着され、前記電源線は、前記ケーシング部の前記壁部分と、棒形状の前記固定部における第２の固定部分との間に挟まれて固定されることを特徴とする請求項１から３のいずれかに記載の空気調和装置。
【発明の詳細な説明】
【技術分野】
【０００１】
本発明は、一般家庭や事務所等で使用される空気調和装置に関するものである。
【背景技術】
【０００２】
従来、この種の空気調和装置は、吸込口と吹出口とを有する本体ケースと、前記本体ケース内に設けた空気調和手段と、前記吸込口から吸い込まれた空気を、送風路により、前記空気調和手段を介して前記吹出口から吹き出す送風手段と、前記送風手段を制御する制御部と、前記制御部と電気的に接続された電源コードと、前記電源コードを固定する固定部とからなり、前記固定部は、１種類の太さの前記電源コードを固定するものが知られている。（例えば、特許文献１参照）
【先行技術文献】
【特許文献】
【０００３】
【特許文献１】実開昭６３−９８７１５号公報
【発明の概要】
【発明が解決しようとする課題】
【０００４】
上記従来例の課題は、樹脂成形の作業効率の更なる向上である。
【０００５】
従来は、吸込口と吹出口とを有する本体ケースと、本体ケース内に設けた空気調和手段と、吸込口から吸い込まれた空気を、送風路により、空気調和手段を介して吹出口から吹き出す送風手段と、送風手段を制御する制御部と、制御部と電気的に接続された電源コードと電源コードを固定する固定部とから構成されていた。固定部は、１種類の太さの電源コードを固定できるものである。
【０００６】
ところが、部品を流用し、日本で販売する日本モデルと海外で販売する海外モデルの２種類のモデルを設計する場合には、電圧が異なるので、２種類の制御部が必要であった。電圧、および制御部が異なると、ノイズの発生量も異なるので、ノイズ抑制部品と、電源コードも太さの異なる２種類の電源コードと、２種類の固定部とが必要となる場合があった。
【０００７】
すなわち、日本モデル用の電源コードを固定する固定部を有したケーシング部と、海外モデル用の電源コードを固定する固定部を有したケーシング部との２種類のケーシング部を、２種類の樹脂金型で成形するものであった。
【０００８】
樹脂成形時には、射出成型機に樹脂金型を装着し、樹脂成型を行うが、２種類の樹脂金型を１台の射出成型機で使用する場合は、樹脂金型の取替え作業が伴い、樹脂成形の作業効率が下がる場合があった。
【０００９】
そこで、樹脂成形の作業効率を上げるために、１つの樹脂金型から複数の部品を成形する方法もあるが、特に大きな部品であるケーシング部の部品では、１つの樹脂金型から複数の形状の異なる部品を成形するのは、樹脂金型、射出成型機も大きくなり、困難な場合があった。
【００１０】
そこで本発明は、空気調和装置の樹脂部品における樹脂成形の作業効率の更なる向上を目的とするものである。
【課題を解決するための手段】
【００１１】
そして、この目的を達成するために、本発明は、吸込口と吹出口とを有する本体ケースと、前記本体ケース内に設けた空気調和手段と、前記吸込口から吸い込まれた空気を、送風路により、前記空気調和手段を介して前記吹出口から吹き出す送風手段と、前記送風手段を制御する制御部と、前記制御部と電気的に接続された電源コードと、前記電源コードから発生するノイズを抑制するノイズ抑制部品を着脱自在に装着するノイズ抑制装着部と、前記電源コードを固定する固定部とからなり、前記送風手段は、スクロール形状の樹脂成型部品であるケーシング部と、前記ケーシング部に固定されたモータ部と、前記モータ部によって回転する羽根部とを有し、前記固定部は、前記ケーシング部と一体に樹脂成型され、太さの異なる２種類の前記電源コードを固定することを特徴としたものである。
【００１２】
これにより、所期の目的を達成するものである。
【発明の効果】
【００１３】
以上のように本発明は、吸込口と吹出口とを有する本体ケースと、前記本体ケース内に設けた空気調和手段と、前記吸込口から吸い込まれた空気を、送風路により、前記空気調和手段を介して前記吹出口から吹き出す送風手段と、前記送風手段を制御する制御部と、前記制御部と電気的に接続された電源コードと、前記電源コードから発生するノイズを抑制するノイズ抑制部品を着脱自在に装着するノイズ抑制装着部と、前記電源コードを固定する固定部とからなり、前記送風手段は、スクロール形状の樹脂成型部品であるケーシング部と、前記ケーシング部に固定されたモータ部と、前記モータ部によって回転する羽根部とを有し、前記固定部は、前記ケーシング部と一体に樹脂成型され、太さの異なる２種類の前記電源コードを固定することを特徴としたものである。
【００１４】
すなわち、固定部は、ケーシング部と一体に樹脂成型され、太さの異なる２種類の電源コードを固定することを特徴とするので、１種類のケーシング部で、太さの異なる２種類の電源コードを固定できる。
【００１５】
結果として、樹脂成形時に、２種類のケーシング部の樹脂金型で成形する必要が無く、１種類のケーシング部の樹脂金型で成形できるので、樹脂成形の作業効率を更に向上できる。
【図面の簡単な説明】
【００１６】
【図１】本発明の実施の形態１の空気調和装置を示す斜視図
【図２】同空気調和装置の断面図
【図３】同空気調和装置のケーシング部の斜視図
【図４】同空気調和装置のケーシング部の斜視図
【図５】同空気調和装置の空気調和装置の第１の電源コードの断面図
【図６】同空気調和装置のケーシング部の斜視図
【図７】同空気調和装置のケーシング部の斜視図
【図８】同空気調和装置の空気調和装置の第２の電源コードの断面図
【発明を実施するための形態】
【００１７】
以下、本発明の実施の形態について図面を参照しながら説明する。
【００１８】
（実施の形態１）
図１は、本発明の実施の形態１の空気調和装置を示す斜視図である。図１に示すように、空気調和装置は、吸込口１と吹出口２を備えた略箱形状の本体ケース３と、この本体ケース３内に、空気調和手段である加湿手段４と、後術する送風手段５と、空気調和手段である空気清浄手段６とを備えている。
【００１９】
本体ケース３における前面側の周縁部付近には、環状の吸込口１が設けられている。本体ケース３の天面における背面側には、吹出口２が備えられている。
【００２０】
本体ケース３の下部には、着脱自在に加湿手段４が設けられている。加湿手段４は、水を貯水する椀形状の貯水容器部７と、この貯水容器部７内の水に一部が浸漬する加湿体部８と、加湿体部８を保持し、貯水容器部７に着脱自在な保持体９とから構成している。すなわち、本体ケース３の一方側側面（右側）下部の開口である加湿手段装着部１０から、貯水容器部７を水平方向へ引き出すと、図１の状態となる。
【００２１】
図２は、本発明の実施の形態１の空気調和装置の断面図である。図２は、本体ケース３における右側から見た断面図である。
【００２２】
吸込口１と吹出口２と連通する送風路１１が設けられている。この送風路１１には、空気清浄手段６、加湿手段４、送風手段５が順次設けられている。
【００２３】
空気清浄手段６は、１例として、本体ケース３における前方から見ると、縦長の四角形状である集塵ファイルターである。
【００２４】
送風手段５は、加湿手段４の上方に設けられている。送風手段５は、スクロール形状の樹脂成型部品であるケーシング部１２と、このケーシング部１２に固定されたモータ部１３と、このモータ部１３によって回転する羽根部１４とから構成している。ケーシング部１２は、本体ケース３における天面側には、吐出口１５を備え、本体ケース３における背面側には、吸気口１６を備えている。吸気口１６は、本体ケース３の左右方向におけるほぼ中央に設けられている。
【００２５】
続いて、空気の流れについて説明する。送風手段５によって、本体ケース３の吸込口１から吸い込まれた空気は、まず、空気清浄手段６へ流れる。ここで、空気中の埃等が捕集される。この空気清浄手段６に流れた空気は、主に空気清浄手段６の背面側の風路である第１の風路１７を介して下方へ流れ、加湿手段４の本体ケース３における前面側上部より、加湿手段４へ流れ込む。加湿手段４へは、前面側上部より斜め下方へ流れ込む。この加湿手段４へ流れ込んだ空気は、加湿体部８を通過する。ここで加湿される。この加湿された空気は、加湿手段４の本体ケース３における背面側上部より、上方の第２の風路１８へ流れ込む。この第２の風路１８は、加湿手段４と送風手段５とを連通する風路で、送風手段５の本体ケース３における背面側に上下方向に延びている。第２の風路１８へ流れ込んだ空気は、送風手段５の吸気口１６から送風手段５へ入り、送風手段５の吐出口１５を介して吹出口２から上方へ吹き出す。
【００２６】
送風手段５は、制御部１９によって風量等が制御される。制御部１９は、本体ケース３における上部に設けられ、電気的に接続された後述する電源コード２０を備えている。
【００２７】
図３は、本発明の実施の形態１の空気調和装置のケーシング部１２の斜視図である。図３は、本体ケース３における左側から見た斜視図で、第１の電源コード２０Ａを設けた場合である。図４は、本発明の実施の形態１の空気調和装置のケーシング部１２の拡大図である。図５は、本発明の実施の形態１の空気調和装置の第１の電源コードの断面図である。
【００２８】
本実施形態における特徴は、固定部２１が、ケーシング部１２と一体に樹脂成型され、太さの異なる２種類の電源コード２０を固定する点である。
【００２９】
これにより、樹脂成形時に、２種類のケーシング部１２の樹脂金型で成形する必要が無く、１種類のケーシング部１２の樹脂金型で成形できるので、樹脂成形の作業効率を更に向上できる。
【００３０】
２種類の電源コード２０とは、第１の電源コード２０Ａと、第２の電源コード２０Ｂと呼ぶ。
【００３１】
まず、第１の電源コード２０Ａの場合について説明する。第１の電源コード２０Ａは、複数の電源線２２からなり、これらの電源線２２は、電気が流れる導通部分２３と、導通部分を覆う第１の絶縁部分２４と、複数の電源線２２における第１の絶縁部分を覆う第２の絶縁部分２５とから形成している。第１の電源コード２０Ａは、固定部２１であるケーシング部１２の壁部分２６と、棒形状の第１の固定部分２７との間に挟まれて固定される。
【００３２】
図２に示すように、ケーシング部１２は、本体ケース３における前面側には、モータ部１３を固定できるモータ側壁２８を備え、本体ケース３における背面側には、吸気口１６が設けられた吸込側壁３０を有する。吸込側壁３０とモータ側壁２８との間には、外周壁３１を設けている。この外周壁３１は、吸込側壁３０とモータ側壁２８との間の周囲を囲む。吸込側壁３０とモータ側壁２８と外周壁３１とで囲まれる開口が、吐出口１５である。吸込側壁３０は、吸込側壁３０から本体ケース３における背面側に延びた固定部２１である壁部分２６と、棒形状の第１の固定部分２７を有している。棒形状の第１の固定部分２７は、所定の距離を有して壁部分２６に沿うように、複数設けられている。
【００３３】
棒形状の第１の固定部分２７は、吸込側壁３０から本体ケース３における背面側に延びた円柱形状の円柱部分３３と、四角柱形状の四角柱部分３４とから構成している。
【００３４】
円柱部分３３は、壁部分２６と第１の距離Ａを有している。四角柱部分３４は、円柱部分３３と連結し、円柱部分３３と壁部分２６との間に位置する。四角柱部分３４は、壁部分２６と後述する第２の距離Ｂを有している。第２の距離Ｂは、第１の距離Ａより短い。四角柱部分３４の吸込側壁３０から本体ケース３における背面側への長さは、円柱部分３３の吸込側壁３０から本体ケース３における背面側への長さより短い。第１の電源コード２０Ａは、第１の固定部分２７である円柱部分３３と第１の距離Ａを有する壁部分２６との間いるに挟まれて固定される。
【００３５】
吸込側壁３０には、後述するノイズ抑制部品３５を着脱自在に装着するノイズ抑制装着部３６を備えている。ノイズ抑制装着部３６は、ケーシング部１２と一体に樹脂成型されている。具体的には、ノイズ抑制装着部３６は、固定部２１と固定部２１との間に設けられ、ケーシング部１２の吸込側壁から本体ケース３における背面側に延びた略四角筒形状の枠部分３７と、ノイズ抑制部品３５を固定する爪部分３８とから構成している。
【００３６】
枠部分３７の少なくとも１部は、壁部分２６と第１の距離Ａよりわずかに大きい第３の距離Ｃを有している。第１の電源コード２０Ａは、ケーシング部１２の壁部分２６と、ノイズ抑制装着部３６の枠部分３７との間に挟まれて固定される。
【００３７】
図６は、本発明の実施の形態１の空気調和装置のケーシング部の斜視図である。図６は、本体ケース３における左側から見た斜視図で、第２の電源コードを設けた場合である。図７は、本発明の実施の形態１の空気調和装置のケーシング部１２の拡大図である。図８は、本発明の実施の形態１の空気調和装置の第１の電源コードの断面図である。
【００３８】
次に、第２の電源コード２０Ｂの場合について説明する。第２の電源コード２０Ｂは、複数の電源線２２からなり、これらの電源線２２は、電気が流れる導通部分２３と、導通部分２３を覆う第１の絶縁部分２４とから形成している。電源線２２は、第２の電源コード２０Ｂから発生するノイズを抑制するノイズ抑制部品３５に装着されている。ノイズ抑制部品３５の１例は、フェライトコアである。フェライトコアは、・・・・・・で、このフェライトコアに、電源線２２がまかれている。ノイズ抑制部品３５は、ノイズ抑制装着部３６に装着されている。電源線２２は、固定部２１における、ケーシング部１２の壁部分２６と、第１の固定部分２７との間に挟まれて固定される。すなわち、第１の固定部分２７である四角柱部分３４と第２の距離Ｂを有する壁部分２６との間に挟まれて固定される。
【００３９】
これにより、固定部２１は、ケーシング部１２と一体に樹脂成型され、太さの異なる２種類の電源コード２０を固定することを特徴とするので、１種類のケーシング部１２で、太さの異なる２種類の電源コード２０を固定できる。結果として、樹脂成形時に、２種類のケーシング部１２の樹脂金型で成形する必要が無く、１種類のケーシング部１２の樹脂金型で成形できるので、樹脂成形の作業効率を更に向上できる。
【産業上の利用可能性】
【００４０】
以上のように本発明は、吸込口と吹出口とを有する本体ケースと、前記本体ケース内に設けた空気調和手段と、前記吸込口から吸い込まれた空気を、送風路により、前記空気調和手段を介して前記吹出口から吹き出す送風手段と、前記送風手段を制御する制御部と、前記制御部と電気的に接続された電源コードと、前記電源コードから発生するノイズを抑制するノイズ抑制部品を着脱自在に装着するノイズ抑制装着部と、前記電源コードを固定する固定部とからなり、前記送風手段は、スクロール形状の樹脂成型部品であるケーシング部と、前記ケーシング部に固定されたモータ部と、前記モータ部によって回転する羽根部とを有し、前記固定部は、前記ケーシング部と一体に樹脂成型され、太さの異なる２種類の前記電源コードを固定することを特徴としたものである。
【００４１】
すなわち、固定部は、ケーシング部と一体に樹脂成型され、太さの異なる２種類の電源コードを固定することを特徴とするので、１種類の本体ケースで、太さの異なる２種類の電源コードを固定できる。
【００４２】
結果として、樹脂成形時に、２種類の本体ケースの樹脂金型で成形する必要が無く、１種類の本体ケースの樹脂金型で成形できるので、樹脂成形の作業効率を更に向上できるので、加湿、空気清浄、加湿空気調和装置等の空調機等として有用である。
【符号の説明】
【００４３】
１        吸込口
２        吹出口
３        本体ケース
４        加湿手段
５        送風手段
６        空気清浄手段
７        貯水容器部
８        加湿体部
９        保持体
１０      加湿手段装着部
１１      送風路
１２      ケーシング部
１３      モータ部
１４      羽根部
１５      吐出口
１６      吸気口
１７      第１の風路
１８      第２の風路
１９      制御部
２０      電源コード
２０Ａ    第１の電源コード
２０Ｂ    第２の電源コード
２１      固定部
２２      電源線
２３      導通部分
２４      第１の絶縁部分
２５      第２の絶縁部分
２６      壁部分
２７      第１の固定部分
２８      モータ側壁
３０      吸込側壁
３１      外周壁
３３      円柱部分
３４      四角柱部分
３５      ノイズ抑制部品
３６      ノイズ抑制装着部
３７      枠部分
３８      爪部分
Ａ      第１の距離
Ｂ      第２の距離
Ｃ      第３の距離
【図１】
2016070508.tif 000003
【図２】
2016070508.tif 000004
【図３】
2016070508.tif 000005
【図４】
2016070508.tif 000006
【図５】
2016070508.tif 000007
【図６】
2016070508.tif 000008
【図７】
2016070508.tif 000009
【図８】
2016070508.tif 000010